(57)【要約】【課題】本発明は、管路を構成するフレキシブルチューブの損傷が発生する頻度を少なく抑えることができ、延いては復旧作業による操業停止を減少させてコークス炉の円滑な操業を実現することができるコークス炉移動機の配管構造を提供することを課題とする。【解決手段】本発明に係るコークス炉移動機の配管構造は、炉蓋脱着装置１０に備えられる複数のアクチュエータＡ，Ａ…に対応して設けられる複数の方向制御弁Ｖ，Ｖ…が前記炉蓋脱着装置１０に配置され、前記作動流体供給源６０と前記方向制御弁Ｖ，Ｖ…とは、炉蓋脱着動作の際の変位部分にフレキシブルチューブＬｆを用いて構成され且つ前記炉蓋脱着装置１０の位置で分岐する共用の管路Ｌによって接続され、前記各方向制御弁Ｖ，Ｖ…と前記各アクチュエータＡ，Ａ…とは、それぞれ個別の管路ｌ，ｌ…によって接続されることを特徴とする。【選択図】図２
2008184539.tif 000002
【特許請求の範囲】
【請求項１】
コークス炉移動機に搭載される炉蓋脱着装置に備えられる複数のアクチュエータと前記コークス炉移動機に設置される作動流体供給源とを接続する管路のうち、炉蓋脱着動作の際の変位部分にフレキシブルチューブを用いて構成されるコークス炉移動機の配管構造であって、
前記各アクチュエータに対応して設けられる複数の方向制御弁が前記炉蓋脱着装置に配置され、
前記作動流体供給源と前記方向制御弁とは、炉蓋脱着動作の際の変位部分にフレキシブルチューブを用いて構成され且つ前記炉蓋脱着装置の位置で分岐する共用の管路によって接続され、前記各方向制御弁と前記各アクチュエータとは、それぞれ個別の管路によって接続されることを特徴とするコークス炉移動機の配管構造。
【請求項２】
前記コークス炉移動機には、前記炉蓋脱着装置によって前記炉蓋が取り外された際に炉枠を清掃する炉枠掃除装置がさらに搭載されるとともに、前記炉蓋脱着装置には、前記炉枠掃除装置に備えられる複数のアクチュエータに対応して設けられる複数の方向制御弁がさらに配置され、
前記共用の管路は、前記炉蓋脱着装置の位置で分岐し、前記炉枠掃除装置の各アクチュエータに対応する方向制御弁にも接続されることを特徴とする請求項１に記載のコークス炉移動機の配管構造。
【請求項３】
前記炉蓋脱着装置は、炉蓋のリフターと該リフターを支持するリフターホルダーとを備えて構成され、
前記炉蓋脱着装置の各アクチュエータに対応する方向制御弁のうち少なくとも前記リフターの各アクチュエータに対応する方向制御弁は、前記リフターに配置されることを特徴とする請求項１又は２に記載のコークス炉移動機の配管構造。
【請求項４】
前記炉枠掃除装置は、前記リフターの側面に設けられ該リフターを介して前記リフターホルダーに支持され、
前記炉枠掃除装置の各アクチュエータに対応する方向制御弁は、前記リフターに配置されることを特徴とする請求項２に従属する請求項３に記載のコークス炉移動機の配管構造。
【請求項５】
前記各方向制御弁はバルブボックスに収容され、該バルブボックスボックスの内部には給気手段によって気体が導入されることを特徴とする請求項１から４のいずれか一項に記載のコークス炉移動機の配管構造。
【発明の詳細な説明】
【技術分野】
【０００１】
本発明は、コークス炉移動機に搭載される炉蓋脱着装置に備えられる複数のアクチュエータと前記コークス炉移動機に設置される作動流体供給源とを接続する管路のうち、炉蓋脱着動作の際の変位部分にフレキシブルチューブを用いて構成されるコークス炉移動機の配管構造に関する。
【背景技術】
【０００２】
一般に、押出機やガイド車等のコークス炉移動機には、コークス炉における炭化室の端部に設けられる炉口を閉塞する炉蓋を脱着する炉蓋脱着装置や、該炉蓋脱着装置によって前記炉蓋が取り外された炉枠を掃除する炉枠掃除装置や、取り外された炉蓋を掃除する炉蓋掃除装置などの各種装置が搭載されており、特に押出機には、炭化室内のコークスを外部に排出する押出ラムや、炉蓋の上部に設けられる均し口を閉塞する小蓋を開閉する小蓋開閉装置、炭化室内に投入された石炭の上面を平坦にすべく開放された均し口から挿入されるレベラー、小蓋を掃除する小蓋掃除装置などが搭載されている（例えば、特許文献１）。
【０００３】
上記各種装置のうち、前記炉蓋脱着装置は、炉口を閉塞している炉蓋を取り外し、炭化室内のコークスを排出できるように炉口を閉塞しない位置に移動させ、コークスの排出が終了すると、炉蓋を元の場所に戻して装着するといった炉蓋脱着動作を行うものである。具体的には、炉蓋脱着装置には、リフターと該リフターを支持するリフターホルダーとを備えており、リフターが炉蓋を取り外し且つ取り外した炉蓋を保持した状態でリフターホルダーに対して回転させるタイプのものや、炉蓋脱着装置自体が炉蓋を取り外し且つ取り外した炉蓋を保持した状態で移動するタイプのものがある。
【０００４】
これら各種装置は、それぞれ動作を行うために複数のアクチュエータを備えており、それらはコークス炉移動機に設置される作動流体供給源（「バルブスタンド」とも呼ばれる）から作動流体の供給を受けて駆動される。また、各アクチュエータに対応する複数の方向制御弁（若しくは該方向制御弁を収容するバルブボックス）は、熱対策や省スペースや配管効率の観点から、炉蓋の脱着やコークスの排出が行われる作業位置から離れた所定箇所にまとめて設置される。
【０００５】
図５に、炉蓋脱着装置１０’に対する配管構造の概略図を示すと、上述のように各方向制御弁Ｖ，Ｖ…は前記作業箇所から離れた所定位置にまとめて設置されるため、前記各アクチュエータＡ，Ａ…と各方向制御弁Ｖ，Ｖ…とは、個別の管路ｌ，ｌ…によって長い距離をそれぞれ接続される。また、前記炉蓋脱着装置１０’は、炉蓋脱着動作の際にはコークス炉移動機に対して相対的に移動するものであるため、前記炉蓋脱着装置１０’に備えられる各アクチュエータＡ，Ａ…が前記作動流体供給源６０’から作動流体の供給を常時受けることができるように、前記個別の管路ｌ，ｌ…のそれぞれは、炉蓋脱着動作の際にアクチュエータＡ，Ａ…と方向制御弁Ｖ，Ｖ…との距離や角度などの相対的な配置関係が変化する変位部分に変形自在なフレキシブルチューブｌｆ，ｌｆ…を用いて構成されている。
【０００６】
なお、図５に示す炉蓋脱着装置１０’は、リフター２０’とリフターホルダー３０’とを備えるタイプのものであり、前記作動流体供給源６０’とリフターホルダー３０’との間、及び、リフター２０’とリフターホルダー３０’との間でフレキシブルチューブｌｆ，ｌｆ…が用いられる。
【０００７】
【特許文献１】特開平１１−２４６８６３号公報
【発明の開示】
【発明が解決しようとする課題】
【０００８】
しかしながら、上記従来のコークス炉移動機１’においては、前記各アクチュエータＡ，Ａ…と対応する各方向制御弁Ｖ，Ｖ…同士が全て個別の管路ｌ，ｌ…によって接続されているため、炉蓋脱着動作の際に、前記変位部分に配置されるフレキシブルチューブｌｆ，ｌｆ…同士が頻繁に接触して損傷するおそれがある。特に、炉蓋脱着動作の際にリフター２０’の回転が行われるタイプのものでは捩れも原因となってフレキシブルチューブｌｆの損傷が懸念される。
【０００９】
そして、かかる個別の管路ｌ，ｌ…は上記一連の炉蓋の脱着動作を実現する各アクチュエータＡ，Ａ…に対応して多数設けられており、しかも、作動流体が液体のものであれば一つのアクチュエータＡに対して圧力管路及び戻り管路用に二つの管路ｌ，ｌが必要となるため、コークス炉移動機１’全体では大変多くのフレキシブルチューブｌｆ，ｌｆ…が用いられることとなり、そのうちの一つでも損傷すると交換等の復旧作業の間全体の操業を停止せざるを得ず、コークス炉の円滑な操業に支障を来たすおそれがある。あるコークス炉における具体例を挙げると、フレキシブルチューブは、一台のコークス炉移動機１’に３２本としてコークス炉全体で４４８本も用いられるが、復旧作業のために一本当たり２〜４時間はかかるとされている。
【００１０】
そこで、本発明は、管路を構成するフレキシブルチューブの損傷が発生する頻度を少なく抑えることができ、延いては復旧作業による操業停止を減少させてコークス炉の円滑な操業を実現することができるコークス炉移動機の配管構造を提供することを目的とする。
【課題を解決するための手段】
【００１１】
本発明に係るコークス炉移動機の配管構造は、コークス炉移動機に搭載される炉蓋脱着装置に備えられる複数のアクチュエータと前記コークス炉移動機に設置される作動流体供給源とを接続する管路のうち、炉蓋脱着動作の際の変位部分にフレキシブルチューブを用いて構成されるコークス炉移動機の配管構造であって、前記各アクチュエータに対応して設けられる複数の方向制御弁が前記炉蓋脱着装置に配置され、前記作動流体供給源と前記方向制御弁とは、炉蓋脱着動作の際の変位部分にフレキシブルチューブを用いて構成され且つ前記炉蓋脱着装置の位置で分岐する共用の管路によって接続され、前記各方向制御弁と前記各アクチュエータとは、それぞれ個別の管路によって接続されることを特徴とする。
【００１２】
上記構成からなるコークス炉移動機の配管構造によれば、方向制御弁が炉蓋脱着装置に配置されるため、前記作動流体供給源と前記各方向制御弁との間の配管を集約することができ、これによって配管の全長が短くなるため、管路の損傷が発生する頻度を低くすることができる。特に、炉蓋脱着動作の際の変位部分に用いられるフレキシブルチューブを集約することができるため、炉蓋脱着動作の際にフレキシブルチューブ同士が頻繁に接触して損傷するといった不都合を好適に防止することができる。しかも、配管の全長が短くなることで、仮に損傷が発生したとしても、損傷箇所を発見しやすく、交換等の復旧作業も容易に行うことができる。
【００１３】
また、個別の管路は共用の管路よりも概して小さい断面積を有するために圧力損失が大きくなりがちであるが、管路を共用する部分が設けられることにより個別の管路の長さを短くすることができるため、配管全体としての圧力損失を小さく抑えることができる。
【００１４】
さらに、前記コークス炉移動機には、前記炉蓋脱着装置によって前記炉蓋が取り外された際に炉枠を清掃する炉枠掃除装置がさらに搭載されるとともに、前記炉蓋脱着装置には、前記炉枠掃除装置に備えられる複数のアクチュエータに対応して設けられる複数の方向制御弁がさらに配置され、前記共用の管路は、前記炉蓋脱着装置の位置で分岐し、前記炉枠掃除装置の各アクチュエータに対応する方向制御弁にも接続される構成が好ましい。
【００１５】
ここで、炉蓋脱着装置及び炉枠掃除装置はどちらも同じ炭化室の炉蓋及び炉口に対して作業を行うものであることから近接して設けられることが一般的である。従って、前記共用の管路を前記炉蓋脱着装置だけでなく炉枠掃除装置のアクチュエータの方向制御弁に対しても用いれば、炉枠掃除装置用の配管も集約することができるため、より円滑なコークス炉の操業を実現することができる。
【００１６】
また、前記炉蓋脱着装置は、炉蓋のリフターと該リフターを支持するリフターホルダーとを備えて構成され、前記炉蓋脱着装置の各アクチュエータに対応する方向制御弁のうち少なくとも前記リフターの各アクチュエータに対応する方向制御弁は、前記炉蓋リフターに配置される構成が好ましい。
【００１７】
また、前記炉枠掃除装置は、前記リフターの側面に設けられ該リフターを介して前記リフターホルダーに支持され、前記炉枠掃除装置の各アクチュエータに対応する方向制御弁は、前記リフターに配置される構成が好ましい。かかる構成によれば、炉蓋脱着動作の際にリフターと炉枠掃除装置とが相対的に不変な状態で一体的に動作することとなる。このため、リフターの方向制御弁と炉枠掃除装置の方向制御弁とをまとめて配置することができる。
【００１８】
また、前記各方向制御弁はバルブボックスに収容され、該バルブボックスの内部には給気手段によって気体が導入される構成が好ましい。このようにすれば、方向制御弁を熱や粉塵から保護することができる。また、該給気手段によって内部に導入された気体が外部に流出するため、外部から粉塵等が入り込むのを防止することができる上に、方向制御弁によって発生する熱によって高温化したバルブボックスの内部を冷却することもできる。
【発明の効果】
【００１９】
以上のように、本発明に係るコークス炉移動機の配管構造によれば、管路を構成するフレキシブルチューブの損傷が発生する頻度を少なく抑えることができ、延いては復旧作業による操業停止を減少させてコークス炉の円滑な操業を実現することができる。
【発明を実施するための最良の形態】
【００２０】
以下に、本発明に係るコークス炉移動機の配管構造の実施形態について、図面に基づいて説明する。
【００２１】
まず、本実施形態に係るコークス炉移動機の配管構造が採用されるコークス炉移動機１について、図１を参照しつつ概略説明する。コークス炉移動機１は、コークス炉１００の炉団を構成する炭化室１０１の幅方向（即ち、炉団方向）に沿って順次移動しつつ作業を行う装置であり、具体的には、炭化室１０１内で石炭が乾留されることによって生成されたコークスを炭化室１０１の一端側から押し出す押出機、若しくは、該押出機によって押し出されるコークスを炭化室１０１の他端側で受け入れて消火電車に牽引されるバケットに誘導するガイド車である。ただし、説明の便宜上、以下ではコークス炉移動機１が押出機である場合について説明する。
【００２２】
前記コークス炉移動機１は、炭化室１０１の端部に設けられる炉口を閉塞する炉蓋１０２を脱着する炉蓋脱着装置１０と、該炉蓋脱着装置１０によって前記炉蓋１０２が取り外された炉枠を掃除する炉枠掃除装置４０と、前記炉蓋脱着装置１０によって取り外された炉蓋１０２を掃除する炉蓋掃除装置５０と、これら各装置に備えられる複数のアクチュエータに作動流体を供給する作動流体供給源６０とを搭載する。また、押出機に特有の装置として、炭化室１０１内のコークスを外部に排出する押出ラム７０と、炉蓋１０２の上部に設けられる均し口を閉塞する小蓋を開閉する小蓋開閉装置が組み込まれ且つ前記小蓋を掃除する小蓋掃除装置８０と、炭化室内に投入された石炭の上面を平坦にすべく開放された均し口から挿入されるレベラー９０とをさらに搭載する。
【００２３】
次に、前記炉蓋脱着装置１０について説明する。炉蓋脱着装置１０は、前記炉蓋１０２を取り外し、炭化室１０１内のコークスを排出できるように炉口を閉塞しない位置に移動させ、コークスの排出が終了すると、炉蓋１０２を元の場所に戻して装着するといった炉蓋脱着動作を行うものである。また、炉蓋脱着装置１０は、前記炉蓋１０２に対向する側のコークス炉移動機１における前方に配置される。具体的には、炉蓋脱着装置１０は、炉蓋１０２を吊り上げる装置であるリフター２０と該リフター２０を上下方向に沿う軸線周りに支持するリフターホルダー３０とを備えて構成される。
【００２４】
前記炉枠掃除装置４０は、前記炉蓋脱着装置１０の近傍に配置される。また、炉枠掃除装置４０と炉蓋脱着装置１０とは、該炉蓋脱着装置１０が炉蓋１０２を取り外して作業位置から退避すると、炉枠掃除装置４０が作業位置に進出するといったように、動作を同期させて設けられる。具体的には、前記炉蓋脱着装置１０と炉枠掃除装置４０とは、炉蓋１０２若しくは炉口と対向して処理を行う各装置の正面が炉蓋脱着装置１０若しくは炉枠掃除装置４０の上下方向に沿う軸周りに９０°の角度を有して設けられており、前記炉蓋脱着装置１０及び炉枠掃除装置４０は、その角度を保った状態で向きを変更可能に構成される。具体的には、前記炉枠掃除装置４０は、内面スクレーパやシート面スクレーパ（どちらも図示しない）を備えるものである。
【００２５】
より具体的には、前記炉枠掃除装置４０は、炉蓋脱着装置１０を構成する前記リフター２０の側面に設けられ、該リフター２０を介して前記リフターホルダー３０に支持されるものである。これにより、前記リフター２０が炉蓋１０２を取り外し且つ取り外した炉蓋１０２を保持した状態で回転すると、前記リフター２０があった場所に前記炉枠掃除装置４０が位置することとなり、炉枠掃除を行うことができる。
【００２６】
なお、前記炉蓋掃除装置５０は、取り外された炉蓋１０２と対向するように配置されており、具体的には、前記炉蓋脱着装置１０のリフター２０が炉蓋１０２を保持した状態で回転して炉蓋掃除装置５０と対面し、炉蓋１０２の掃除が行われる。
【００２７】
また、前記作動流体供給源６０は、作動流体を貯留するタンクと、作動流体を送るポンプとを備えるものであり、炉蓋１０２の脱着やコークスの排出が行われる作業位置から離れた所定箇所に設置される。なお、前記作動流体としては圧油が採用され、従って、前記アクチュエータとしては油圧シリンダーが用いられるものであるが、アクチュエータ及び作動流体はこれに限定されるものではなく、水や圧空を用いるものでもよい。また、後述する方向制御弁としては電磁切替弁が用いられるが、同様に、これに限定されるものではない。
【００２８】
ところで、炉蓋脱着装置１０には、一連の炉蓋脱着動作を行うべく駆動される複数のアクチュエータが備えられており、さらに、特徴的な構成として、各アクチュエータに対応して設けられる複数の方向制御弁も、炉蓋脱着装置１０に備えられるものである。これらの具体的構成について説明するのに先立って、まず、炉蓋１０２について、図２を用いて説明する。
【００２９】
前記炉蓋１０２は、蓋本体１０３と、炭化室１０１に臨む内面とは反対側の外面に設けられ、前記炉蓋脱着装置１０によって係止される取っ手として機能する上下一対のラグピース１０４，１０５と、蓋本体を炉口に対して固定するための上下一対の閂１０６，１０７とを備える。なお、閂１０６，１０７は、蓋本体１０３を炉口側に付勢するための閂バネ（図示しない）を内蔵する。前記閂１０６，１０７は、炉蓋が吊り上げられるのに伴って掛け外される水平固定式のものである。
【００３０】
次に、図２及び図３に基づき、炉蓋脱着装置１０の具体的構成について説明する。該炉蓋脱着装置のリフター２０は、リフター本体２１と、前記炉蓋１０２のラグピース１０４，１０５を係止し前記リフター本体２１に対して上下動可能なリフターフック２２，２３とを備えるとともに、任意的な構成として、炉蓋１０２の装着状態を確認すべく前記閂１０６，１０７に当接させる炉蓋装着状態確認レバー２４，２５をさらに備える。
【００３１】
また、前記リフター２０は、これらを駆動する際に用いられる各種のアクチュエータＡ，Ａ…を備える。具体的には、炉蓋１０２を係止した状態のリフターフック２２，２３をリフター本体２１に対して上下動させるための吊上用アクチュエータＡａと、前記上下一対の閂バネを押すための上下一対の閂バネ押し用アクチュエータＡｂ，Ａｃと、炉蓋装着状態確認レバー２４，２５を操作するためのレバー用アクチュエータＡｄを備える。また、これら各アクチュエータＡａ〜Ａｄに対応する方向制御弁は、リフター２０に設けられたバルブボックス２６，２７に収容される。なお、前記アクチュエータＡａ〜Ａｃはリフター２０の内部に取り付けられ、前記レバー用アクチュエータＡｄはリフター２０の外部側面に取り付けられる。また、前記レバー用アクチュエータＡｄは前記炉枠掃除装置４０が設けられるのとは反対側の側面に取り付けられる。
【００３２】
具体的には、前記バルブボックス２６，２７は、前記炉蓋１０２と対向するリフター２０の表面とは反対側の裏面に配置される。また、バルブボックス２６，２７は上下方向に並んで設けられ、前記方向制御弁は二つに分けて収容される。また、各バルブボックス２６，２７は、交換を容易に行うことができるようユニット化され、リフター２０に対して着脱可能に取り付けられている。
【００３３】
より具体的には、前記吊上用アクチュエータＡａと閂バネ押し用アクチュエータＡｂとを制御する各方向制御弁Ｖａ，Ｖｂ（図４参照）が一方のバルブボックス２６に収容され、閂バネ押し用アクチュエータＡｃとレバー用アクチュエータＡｄとを制御する各方向制御弁Ｖｃ，Ｖｄ（図４参照）が他方のバルブボックス２７に収容される。
【００３４】
また、前記炉蓋脱着装置１０には、前記炉枠掃除装置４０に備えられる複数のアクチュエータＡ，Ａ…（図２では図示されない）に対応する複数の方向制御弁がさらに設けられる。具体的には、前記炉枠掃除装置４０は、前記リフター２０の側面に設けられることから、前記シートクリーナーやシート面スクレーパを駆動するシートクリーナー用アクチュエータＡｅ及びシート面スクレーパ用アクチュエータＡｆ（図４参照）に対応する方向制御弁Ｖｅ，Ｖｆ（図４参照）は、リフター２０に設けられたバルブボックス２７に収容される。
【００３５】
前記リフターホルダー３０は、上述のとおりリフター２０を回転可能に支持する装置であり、リフターホルダー３０は、炉蓋１０２を好適に吊り上げることができるように前記リフター２０の姿勢を調整すべく該リフター２０の下端部を前後に動かすための下部傾斜用アクチュエータＡｇと、前記リフター２０の回転を行うための回転用アクチュエータＡｈと、前記リフター２０が炉蓋１０２に対向している状態若しくは回転した状態で固定する固定ピンを駆動するための固定ピン用アクチュエータＡｉとを備える。これら各アクチュエータＡｇ〜Ａｉに対応する方向制御弁Ｖｇ〜Ｖｉ（図４参照）は、リフターホルダー３０に設けられたバルブボックス３１に収容される。具体的には、前記バルブボックス３１は、前記リフターホルダー３０の側面に配置される。
【００３６】
なお、前記各バルブボックス２６，２７，３１は、収容された方向制御弁Ｖ，Ｖ…を手動で操作することができるよう扉を有する防水性の箱体として構成される。また、前記バルブボックス２６，２７，３１には、内部に気体を導入する給気手段（図示しない）が備えられ、清浄な空気が導入される。さらに、前記バルブボックス２６，２７，３１には、内部に導入された気体を外部に放出するための気体放出部（図示しない）が設けられる。具体的には、内部に導入される気体及び放出される気体の量は、流量調整弁によって調整される。
【００３７】
本実施形態に係るコークス炉移動機の配管構造は、上記のようなコークス炉移動機１に採用されるものであり、図４に示すように、前記作動流体供給源６０と前記各方向制御弁Ｖ，Ｖ…とは、炉蓋脱着動作の際の変位部分にフレキシブルチューブＬｆを用いて構成され且つ前記炉蓋脱着装置１０の位置で分岐する共用の管路Ｌによって接続され、前記各方向制御弁Ｖ，Ｖ…と前記各アクチュエータＡ，Ａ…とは、それぞれ個別の管路ｌ，ｌ…によって接続されるものである。
【００３８】
前記共用の管路Ｌは、前記炉蓋脱着装置１０の近傍位置まで鋼管等の固定配管Ｌｓによって構成されるとともに、前記炉蓋脱着装置１０の近傍位置から前記方向制御弁Ｖ，Ｖ…の手前位置までは、炉蓋脱着動作の際にアクチュエータＡ，Ａ…及び方向制御弁Ｖ，Ｖ…と作動流体供給源６０との相対的な配置関係が変化するのに追従すべく、変形自在なフレキシブルチューブＬｆが用いられる。なお、前記共用の管路Ｌとしては、圧力管路及び戻り管路がそれぞれ一つずつ設けられる。
【００３９】
ところで、上述のように、前記アクチュエータＡ，Ａ…がリフター２０やリフターホルダー３０に分けて設けられることに伴って、アクチュエータＡ，Ａ…に対応する方向制御弁Ｖ，Ｖ…は、複数個で一つの群を構成し各群ごとに前記バルブボックス２６，２７，３１に収容される。具体的には、前記各方向制御弁は、Ｖｇ〜Ｖｉ，Ｖａ〜Ｖｂ，Ｖｃ〜Ｖｆのそれぞれで別々の群を構成し、前記共用の管路Ｌは、それぞれ前記方向制御弁Ｖｇ〜Ｖｉ，Ｖａ〜Ｖｂ，Ｖｃ〜Ｖｆの手前で（即ち、各バルブボックス２６，２７，３１ごとに）複数段階で分岐するように構成される。
【００４０】
具体的には、前記共用の管路Ｌは、まず最初に、リフターホルダー３０に設けられたバルブボックス３１に導入され、該バルブボックス３１に収容された方向制御弁Ｖｇ〜Ｖｉに対応して一部分岐する。そして、前記共用の管路L１のうちの残余の部分は、新たな共用の管路Ｌ２として後段側のバルブボックス２６，２７に導入され、該バルブボックス２６，２７に収容された方向制御弁Ｖａ〜Ｖｆに対応して一部分岐する。前記リフター２０には二つのバルブボックス２６，２７が設けられているので、第一のバルブボックス２６では、方向制御弁Ｖａ，Ｖｂに対応して分岐し、その残余の部分は、さらなる新たな共用の管路Ｌ３として第二のバルブボックス２７に導入される。また、前記各群の方向制御弁Ｖｇ〜Ｖｉ，Ｖａ〜Ｖｂ，Ｖｃ〜Ｖｆの手前位置には、流路を分岐する分岐体（分岐端子）３２，２８，２９が設けられる。具体的には、前記各群の方向制御弁Ｖｇ〜Ｖｉ，Ｖａ〜Ｖｂ，Ｖｃ〜Ｖｆと分岐体３２，２８，２９とは、一体的なブロックとして構成される。
【００４１】
また、前記リフター２０とリフターホルダー３０とは、リフター２０の回転や傾斜角度の調整が行われることで、相対的な配置関係が変化するものである。従って、前記リフターホルダー３０に設けられたバルブボックス３１から次の第一のバルブボックス２６にかけての前記新たな共用の管路Ｌ２も、一部にフレキシブルチューブＬｆを用いて構成されている。なお、前記第一のバルブボックス２６と第二のバルブボックス２７との間は、フレキシブルチューブＬｆによって接続されているが、これら二つのバルブボックス２６，２７は相対的に不変であるので、鋼管等の固定配管によって接続されてもよい。
【００４２】
以上のように、本実施形態に係るコークス炉移動機の配管構造によれば、管路を構成するフレキシブルチューブの損傷が発生する頻度を少なく抑えることができ、延いては復旧作業による操業停止を減少させてコークス炉の円滑な操業を実現することができる。
【００４３】
即ち、上記構成からなるコークス炉移動機の配管構造によれば、方向制御弁Ｖ，Ｖ…が炉蓋脱着装置１０に配置されるため、前記作動流体供給源６０と前記各方向制御弁Ｖ，Ｖ…との間の配管を集約することができ、これによって配管の全長が短くなるため、管路の損傷が発生する頻度を低くすることができる。特に、炉蓋脱着動作の際の変位部分に用いられるフレキシブルチューブを集約することができるため、炉蓋脱着動作の際にフレキシブルチューブ同士が頻繁に接触して損傷するといった不都合を好適に防止することができる。しかも、配管の全長が短くなることで、仮に損傷が発生したとしても、損傷箇所を発見しやすく、交換等の復旧作業も容易に行うことができる。
【００４４】
また、個別の管路は共用の管路よりも概して小さい断面積を有するために圧力損失が大きくなりがちであるが、管路を共用する部分が設けられることにより個別の管路の長さを短くすることができるため、配管全体としての圧力損失を小さく抑えることができ、例えば容量の小さいポンプを用いることができたり、ポンプの寿命を長く維持することができるといった効果を奏することができる。
【００４５】
さらに、前記炉枠掃除装置４０は、炉蓋脱着装置１０のリフター２０の側面に設けられるため、前記共用の管路Ｌを前記炉蓋脱着装置１０だけでなく炉枠掃除装置４０のアクチュエータＡｅ，Ａｆの方向制御弁Ｖｅ，Ｖｆに対しても用いることで炉枠掃除装置４０用の配管も集約することができるため、より円滑なコークス炉の操業を実現することができる。
【００４６】
また、前記リフター２０の各アクチュエータＡａ〜Ａｆに対応する方向制御弁Ｖａ〜Ｖｄ、及び、リフター２０と相対的に不変な状態で一体的に動作する炉枠掃除装置４０の方向制御弁Ｖｅ，Ｖｆは、共にリフター２０の裏側にまとめて配置される。このため、各方向制御弁Ｖａ〜Ｖｄを炭化室１０１等の熱源から遠ざけて、熱の影響を小さく抑えることができる。
【００４７】
さらに、前記方向制御弁Ｖ，Ｖ…はバルブボックス２６，２７，３１に収容されるため、各方向制御弁Ｖ，Ｖ…を熱や粉塵から保護することができる。また、バルブボックス２６，２７，３１の内部には給気手段によって気体が導入され、その気体が外部に流出するため、外部から粉塵等が入り込むのを防止することができる上に、方向制御弁Ｖ，Ｖ…によって発生する熱によって高温化した内部を冷却することもできる。
【００４８】
なお、本発明に係るコークス炉移動機の配管構造は、新設のコークス炉移動機において採用することができるだけでなく、既存のコークス炉移動機を改造して採用することもできる。
【００４９】
また、本発明に係るコークス炉移動機の配管構造は、上記実施形態に限定されるものではなく、本発明の要旨を逸脱しない範囲で種々の変更が可能である。
【００５０】
例えば、上記実施形態においては、前記共用の管路Ｌを前記炉蓋脱着装置１０だけでなく炉枠掃除装置４０のアクチュエータＡｅ，Ａｆの方向制御弁Ｖｅ，Ｖｆに対しても用いるものであったが、該方向制御弁Ｖｅ，Ｖｆに対しては、前記炉蓋脱着装置１０のアクチュエータＡ，Ａ…の方向制御弁Ｖ，Ｖ…とは別の共用の管路が用いられるものであってもよい。
【００５１】
あるいは、共用の管路Ｌを炉枠掃除装置４０のアクチュエータＡｅ，Ａｆの方向制御弁Ｖｅ，Ｖｆに対しても用いる場合であっても、前記共用の管路Ｌは、これら方向制御弁Ｖｅ，Ｖｆの手前でさらに分岐し、該方向制御弁Ｖｅ，Ｖｆは独立した群を構成して、他の方向制御弁Ｖａ〜Ｖｄ，Ｖｇ〜Ｖｉとは別のバルブボックスに独立して収容されるものであってもよい。そして、かかる方向制御弁Ｖｅ，Ｖｆ用のバルブボックスは、前記炉蓋脱着装置１０（即ち、リフター若しくはリフターホルダー）に設けられるものであってもよく、炉枠掃除装置４０に設けられるものであってもよい。
【００５２】
また、前記作動流体供給源６０と前記方向制御弁Ｖ，Ｖ…とを接続する共用の管路Ｌは、圧力管路及び戻り管路がそれぞれ一つずつ設けられるものとして説明したが、共用の管路が複数設けられるものであってもよい。さらに、少なくとも一部の方向制御弁Ｖ，Ｖ…が作動流体供給源６０と共用の管路によって接続される限りにおいて、他の方向制御弁が個別の管路によって接続されるものであってもよい。
【００５３】
そして、上記実施形態においては、前記共用の管路Ｌは、各種のアクチュエータＡ，Ａ…の方向制御弁Ｖ，Ｖ…に対して用いられるものであったが、これ以外にも、炉蓋脱着装置１０自体を前後進させる前後進用のアクチュエータの方向制御弁に対して用いられるものであってもよい。
【００５４】
さらに、上記実施形態においては、前記炉蓋脱着装置１０と炉枠掃除装置４０とは、各装置の正面が上下方向に沿う軸周りに９０°の角度を有して設けられるものであったが、これに限定されるものではなく、例えば前記各装置の正面が並列する態様で配置され、炉団方向に沿ってスライドするものであってもよい。
【００５５】
また、上記実施形態においては、共用の管路Ｌが複数段階で分岐するものであったが、これに限定されるものではなく、方向制御弁が複数の群に分けて設けられる場合であっても、少なくとも作動流体供給源６０といずれか一つの群を構成する各方向制御弁Ｖ，Ｖ…とが、フレキシブルチューブＬｆを用いて構成され且つ前記一つの群の方向制御弁Ｖ，Ｖ…の手前で分岐する共用の管路Ｌによって接続されるものであれば、一つの群の方向制御弁Ｖ，Ｖ…の手前で全ての群の方向制御弁Ｖ，Ｖ…に対応して分岐し、その後段側では他の群を構成する各方向制御弁Ｖ，Ｖ…とそれぞれ個別の管路ｌ，ｌ…によって接続されるものであってもよい。
【００５６】
そして、前記炉蓋１０２に設けられる閂１０６，１０７は、炉蓋１０２が吊り上げられるのに伴って掛け外される水平固定式のものであったが、これに限定されるものではなく、回転されることによって掛け外される回転式のものであってもよい。回転式の閂であれば、閂を回転させることによって掛け外す閂外しの動作が別途必要となり、炉蓋脱着装置１０には、閂を回転させるべく該閂に当接させる当接レバーが設けられることとなるが、この場合には、前記水平固定式の場合のレバー用アクチュエータＡｄを当接レバーに用いることにより、前記当接レバーを駆動することができる。なお、回転式の場合であっても、前記当接レバーを閂に当接させることによって炉蓋の装着状態を確認することができる。
【００５７】
さらに、本発明のようなコークス炉移動機の配管構造は、前記炉蓋脱着装置１０や炉枠掃除装置４０だけでなく炉蓋掃除装置５０や小蓋掃除装置８０、さらには、タールパンクリーナや集塵コネクタ（図示しない）など、作動流体によって駆動される他の装置にも採用可能である。その場合には、炉蓋掃除装置５０や小蓋掃除装置８０などの装置ごとに共用の管路を設けて前記作動流体供給源と接続する構成が考えられる。
【００５８】
また、コークス炉移動機としては、押出機やガイド車の他にも、コークス炉の上を移動して炭化室内に上方から石炭を投入する装炭車があるが、本発明のようなコークス炉移動機の配管構造は、かかる装炭車に対しても採用可能である。
【図面の簡単な説明】
【００５９】
【図１】本発明の実施形態に係るコークス炉移動機の配管構造が採用される押出機の概略図を示す。
【図２】同実施形態に係るコークス炉移動機の配管構造が採用される押出機に搭載される炉蓋脱着装置の一側面図を示す。
【図３】同実施形態に係るコークス炉移動機の配管構造が採用される押出機に搭載される炉蓋脱着装置の他側面図を示す。
【図４】同実施形態に係るコークス炉移動機の配管構造の概略図を示す。
【図５】従来のコークス炉移動機の配管構造の概略図を示す。
【符号の説明】
【００６０】
１…コークス炉移動機、１０…炉蓋脱着装置、２０…リフター、２１…リフター本体、２２，２３…リフターフック、２４，２５…炉蓋装着状態確認レバー、２６，２７…バルブボックス、２８，２９…分岐体、３０…リフターホルダー、３１…バルブボックス、３２…分岐体、４０…炉枠掃除装置、５０…炉蓋掃除装置、６０…作動流体供給源、７０…押出ラム、８０…小蓋掃除装置、９０…レベラー、１００…コークス炉、１０１…炭化室、１０２…炉蓋、１０３…蓋本体、１０４，１０５…ラグピース、１０６，１０７…閂、Ａ（Ａａ，Ａｂ，Ａｃ，Ａｄ，Ａｅ，Ａｆ，Ａｇ，Ａｈ，Ａｉ）…アクチュエータ、Ｌ（Ｌ１，Ｌ２，Ｌ３）…共用の管路、ｌ…個別の管路、ｌｆ…フレキシブルチューブ、Ｌｆ…フレキシブルチューブ、Ｌｓ…固定配管、Ｖ（Ｖａ，Ｖｂ，Ｖｃ，Ｖｄ，Ｖｅ，Ｖｆ，Ｖｇ，Ｖｈ，Ｖｉ）…方向制御弁
【図１】
2008184539.tif 000003
【図２】
2008184539.tif 000004
【図３】
2008184539.tif 000005
【図４】
2008184539.tif 000006
【図５】
2008184539.tif 000007